(57)【要約】      （修正有）【課題】低コストでありながら、鍵保持機構を備えた作動信頼性の高いキースイッチ装置を提供する。【解決手段】鍵挿入孔１１及びマイクロスイッチ収納部１２を備えたケース１と、ケース１の鍵挿入孔１１に所定位置まで挿入されたときにマイクロスイッチ２の押ボタンを直接操作する操作部３２を備えた鍵３と、ケース１のマイクロスイッチ収納部１２に収納されたマイクロスイッチ２と、から構成され、ケース１と鍵３とは第三部材を介さずに直接相互に協働して鍵を所定位置に保持するための鍵保持機構を備える。【選択図】図１
0003180301.tif 000002
【実用新案登録請求の範囲】
【請求項１】
鍵挿入孔及びマイクロスイッチ収納部を備えたケースと、前記ケースの前記鍵挿入孔に所定位置まで挿入されたときにマイクロスイッチの押ボタンを直接操作する操作部を備えた鍵と、前記ケースの前記マイクロスイッチ収納部に収納されたマイクロスイッチと、から構成され、前記ケースと前記鍵とが第三部材を介さずに直接相互に協働して前記鍵を所定位置に保持するための鍵保持機構を備えることを特徴とするキースイッチ装置。
【請求項２】
前記鍵保持機構は、前記鍵の一部に形成され、該鍵の横断面に表れる鍵の輪郭に対して内方に押込み可能に弾性的に支持されつつ前記鍵の輪郭より外方に膨出した膨出部と、前記ケース１の前記鍵挿入孔の一部に形成され、前記鍵が前記マイクロスイッチを操作する所定位置まで挿入されたときに、前記鍵の前記膨出部を受容する溝と、前記鍵の前記膨出部と係止する段部とにより構成されることを特徴とする請求項１に記載のキースイッチ装置。
【考案の詳細な説明】
【技術分野】
【０００１】
本考案は、各種電気機器の電源のオン／オフを鍵（キー）の操作により行うキースイッチに関する。
【背景技術】
【０００２】
各種電気機器の電源をオン／オフするのに用いられるキースイッチは、一般的に、シリンダ錠とマイクロスイッチにより構成されている。例えば、特許文献１、２に開示されているように、シリンダ錠をキーにより回動させると、マイクロスイッチをオン／オフ制御することができるように構成されている。
【０００３】
これらのキースイッチは、シリンダ錠を使用しているため、製品価格が高くなり、また、製品の小型化への制約がある。しかし、市場は、より安価な製品を求めているのが現状であり、また小型化の要請もある。これらの要請に応えるものとして、例えば、特許文献３には、シリンダ錠を使用しないで比較的に安価に提供することが可能なキースイッチ機構が開示されている。しかしながら、特許文献３に示された機構では、キーを所定位置に保持する保持手段がケース側に設けられた付加部材により構成されており、マイクロスイッチのアクチュエータをレバーとローラを使用した特殊な構造としている等、部品点数の増加と特殊構造の採用によるコストの上昇を招いており、十分なコストの低減を達成できてないという問題がある。
【先行技術文献】
【特許文献】
【０００４】
【特許文献１】実公昭６２−３１９４９
【特許文献２】特開平９−２１９１２５
【特許文献３】実開平４−  ２１０３７
【考案の概要】
【考案が解決しようとする課題】
【０００５】
従って、本考案の目的は、製造コストが比較的安価なキースイッチ装置であって、部品点数が少なく、構造が簡単で小型化が可能であり、しかも作動信頼性の高いキースイッチ装置を提供することにある。
【課題を解決するための手段】
【０００６】
本考案によるキースイッチ装置は、鍵挿入孔及びマイクロスイッチ収納部を備えたケースと、前記ケースの前記鍵挿入孔に所定位置まで挿入されたときにマイクロスイッチの押ボタンを直接操作する操作部を備えた鍵と、前記ケースの前記マイクロスイッチ収納部に収納されたマイクロスイッチと、から構成され、前記ケースと前記鍵とが第三部材を介さずに直接相互に協働して前記鍵を所定位置に保持するための鍵保持機構を備えることを特徴とする。
【０００７】
このような構成のキースイッチにあって、鍵保持機構は、鍵の一部に形成され、該鍵の横断面に表れる鍵の輪郭に対して内方に押込み可能に弾性的に支持されつつ鍵の輪郭より外方に膨出した膨出部と、ケースの鍵挿入孔の一部に形成され、鍵がマイクロスイッチを操作する所定位置まで挿入されたときに、前記鍵の前記膨出部を受容する溝と前記鍵の前記膨出部と係止可能な段部とにより構成される。
【考案の効果】
【０００８】
本考案によれば、必要最小限の部品点数で構成され、かつ構造が簡単で小型化が容易であり、製造工程も少ないため、シリンダ錠を使用しないキースイッチ装置を極めて低コストで提供できるという利点がある。
【図面の簡単な説明】
【０００９】
【図１】本考案に係るキースイッチ装置において、ケース内の所定位置に鍵を挿入した実施形態を示す縦断面図
【図２】（ａ）は図１のケースのみの縦断面図、（ｂ）はケースを鍵挿入孔の正面から見た図
【図３】（ａ）は鍵の一側面を示す図、（ｂ）は（ａ）のｂ−ｂ線断面図
【考案を実施するための形態】
【００１０】
ケースと、鍵と、マイクロスイッチという必要最小限の構成部品のみという最小限の部材構成により低コストを実現しながら、鍵を所定位置に保持する機構を備えた作動信頼性のあるキースイッチ装置を提供する。
【実施例】
【００１１】
図１及び図２において、本考案によるキースイッチ装置は円筒形状のケース１を有する。ケース１は適当な合成樹脂材料例えばポリアミド樹脂から一体成形される。ケース１は鍵挿入孔１１と、マイクロスイッチ収納部１２とを有し、鍵挿入孔１１とマイクロスイッチ収納部１２とは隔壁１３により隔てられている。隔壁１３には、後述する鍵３の先端面から軸方向外方に突出した突起３２が挿通される突起挿通孔１４が貫通形成されている。隔壁１３はケース１内を完全に鍵挿入孔１１とマイクロスイッチ収納部１２とに分離するものである必要はなく、図示のように部分的な隔壁であってもよい。
【００１２】
図１乃至図３において、鍵挿入孔１１は、ケース１の図中右端から隔壁１３に至るまで鍵３の長軸に沿って左右方向に、かつ鍵３の短軸に沿って図中上下方向に伸延している。鍵挿入孔１１の開口部１１ａから軸方向に所定距離入った内壁の一部、即ち、鍵３の短軸に沿った図中下端に対応する位置には、段部１５ａを介して軸方向に延びる溝１５が形成されている。この溝１５の段部１５ａは、鍵３に設けられた後述する膨出部と共に、鍵３を鍵挿入孔１１内の所定位置に保持するための鍵保持機構を構成する。
【００１３】
マイクロスイッチ収納部１２は、ケース１の他端の内側に隔壁１３の鍵挿入孔１１とは反対側に形成されている。マイクロスイッチ２は、本体２１がケース１内のマイクロスイッチ収納部１２内に配設されており、端子２２ａ、２２ｂ、２２ｃは外部に露出している。マイクロスイッチ本体２１の隔壁１３に面する側には、突起挿通孔１４に臨む位置にマイクロスイッチ２をオン・オフ操作する押ボタン２３（図２）が設けられている。
【００１４】
鍵挿入孔１１に関する上記説明から明らかなように、本願の図において、鍵３は、長軸を図中左右方向に有し、短軸を図中上下方向に有する平たい長板形状を有している。鍵３は適当な合成樹脂材料、例えばポリアセタール樹脂から一体成形される。鍵３は頭部３０とブレード部３１とからなり、ブレード部３１の先端面３１ａの一部に軸方向外方に突出する突起３２を有する。鍵３がケース１の鍵挿入孔１１内に挿入され、ブレード部３１の先端面３１ａがケース１内の隔壁１３に当接する最深位置に達すると、突起３２は隔壁１３の突起挿通孔１４に挿通される。突起３２の長さは突起挿通孔１４の深さと同一の寸法に設定してあり、鍵３の先端面３１ａが隔壁１３に当接すると、マイクロスイッチ２の押ボタン２３がブレード部３１の突起３２によって押圧される。したがって、ブレード部３１の突起３２はマイクロスイッチ２のオン・オフを操作する操作部をなす。
【００１５】
鍵３は、図３（ａ）、（ｂ）に示されるように、一側面に、ブレード部３１の幅方向の一部に一定の幅で全長に亘って形成された凹溝３３を有する。鍵挿入孔１１には、図２（ｂ）に示されるように、そのほぼ全長に亘り鍵３の凹溝３３内に収まる外形の突条１６が形成されている。
ブレード部３１の凹溝３３と鍵挿入孔１１の突条１６とは、組として、ブレード部３１の幅方向における位置を変更した装置を提供することにより、別の装置の鍵の使用を防ぐことができる。
【００１６】
ブレード部３１の幅方向の一端部（図中下端部）には、ブレード部３１の先端部（図中左端部）寄りの長手方向中間部から基端部に向かう方向にブレード部３１の長手軸に沿って伸延し、先端（図中右端）が自由な伸延部３４を有する。伸延部３４は先端に鍵挿入孔１１内に形成された段部１５ａと係止するように外方（図中下方）に膨出形成された膨出部３４ａを有する。このブレード部３１の膨出部３４ａと鍵挿入孔１１内に形成された段部１５ａとは、協働して鍵３を鍵挿入孔１１内の所定位置、図示例では最深位置、に保持するための鍵保持機構を構成する。ブレード部３１には、更に伸延部３４に沿って空隙３５が形成されている。この空隙３５の存在により、伸延部３４は、膨出部３４ａが空隙３５内に入り込むように、弾性的に撓み変形することが許容される。
【００１７】
鍵保持機構の作用について説明する。伸延部３４の膨出部３４ａは、図３（ｂ）に示されたブレード部３１の横断面に表れる鍵の輪郭よりブレード部３１の短軸方向外方（図中下方）に膨出している。鍵３がケース１の開口部１１ａから鍵挿入孔１１内に挿入されると、膨出部３４ａは、図２（ａ）、（ｂ）に示される鍵挿入孔１１の下面内壁により押圧され、伸延部３４の撓み変形により空隙３５内に押し込まれて鍵の輪郭の内側に入り、鍵３はブレード部３１全体が鍵挿入孔１１内に収まる。鍵３が、鍵挿入孔１１内の最深位置に達し、伸延部３４の膨出部３４ａが鍵挿入孔１１内の段部１５ａを過ぎると、伸延部３４の弾性により膨出部３４ａが溝１５内に張り出す。このとき、鍵３を鍵挿入孔１１から小さい力で引き抜こうとしても、ブレード部３１の膨出部３４ａと鍵挿入孔１１内の段部１５ａとの摩擦力が引き抜こうとする力よりも大なる限りは、引き抜くことができない。このようにして、鍵３は鍵挿入孔１１内の最深位置に保持される。
【００１８】
伸延部３４の膨出部３４ａは、鍵３の鍵挿入孔１１内への挿入／退出方向に対して緩い勾配の斜面３４ｃにより膨出形成されている。このため、最深位置にある鍵３を鍵挿入孔１１からやや大きい力で引き抜こうとするとブレード部３１の膨出部３４ａの斜面３４ｃと鍵挿入孔１１内の段部１５ａとの間の摩擦力が鍵３を引き抜こうとする力に負けて、膨出部３４ａが段部１５ａ上を滑動するとともに、伸延部３４の弾性により膨出部３４ａが空隙３５内に押し込まれる。このため、鍵３は、膨出部３４ａと鍵挿入孔１１内の段部１５ａとの間の摩擦力よりもやや大きい力を使えば、比較的簡単に鍵挿入孔１１から引き抜くことができる。
【産業上の利用可能性】
【００１９】
他のキースイッチと厳密に異なる鍵の使用が必須ではない用途、鍵の信頼できる管理が可能な用途等の、必ずしもシリンダ錠の必要がない用途に広く適用できる。
【符号の説明】
【００２０】
１        ケース
２        マイクロスイッチ
３        鍵
１１        鍵挿入孔
１２        マイクロスイッチ収納部
１３        隔壁
１４        突起挿通孔
１５        溝
１５ａ      段部
１６        突条
２１        マイクロスイッチ本体
２２ａ，２２ｂ，２２ｃ  端子
２３        押ボタン
３０        鍵の頭部
３１        ブレード部
３１ａ      ブレード部の先端面
３２        突起（操作部）
３３        凹溝
３４        伸延部
３４ａ      膨出部
３５        空隙
【図１】
0003180301.tif 000003
【図２】
0003180301.tif 000004
【図３】
0003180301.tif 000005